(57)【特許請求の範囲】
【請求項１】
無線制御装置および１つ以上の無線装置を備える基地局に用いられる前記無線装置において、
前記無線装置が形成する１つ以上のセルのそれぞれに、前記無線装置を識別する第１の情報と、前記無線装置が形成するセルを識別する第２の情報と、前記基地局を識別する情報とを含む信号を無線送信する無線部と、
前記無線制御装置から前記第２の情報を含むハンドオーバ指示を受信した場合に、前記無線部を介して、前記ハンドオーバ指示に含まれる前記第２の情報で識別されるセル内の端末装置との間で、ターゲット基地局として、ハンドオーバに関する処理を実行するハンドオーバ処理部と
を有することを特徴とする無線装置。
【請求項２】
前記無線制御装置によって生成された、前記第１の情報が設定された無線制御レイヤの信号を含む信号を受信する信号受信部をさらに有し、
前記無線部は、
前記信号受信部によって受信された信号に基づく無線信号を送信することを特徴とする請求項１に記載の無線装置。
【請求項３】
前記無線制御装置によって生成された、前記第１の情報が設定された無線制御レイヤの信号を含む信号を受信する信号受信部と、
前記信号受信部によって受信された信号に対して、前記無線制御レイヤよりも下位のレイヤの処理を実行する処理部と
をさらに有し、
前記無線部は、
前記処理部によって処理された信号に基づく無線信号を送信することを特徴とする請求項１に記載の無線装置。
【請求項４】
前記無線制御装置によって生成された無線制御レイヤの信号を含む第１の信号を受信する信号受信部と、
前記第１の情報が設定された無線制御レイヤの信号を含む第２の信号を生成する生成部と、
前記第１の信号と前記第２の信号とに対して、前記無線制御レイヤよりも下位のレイヤの処理を実行する処理部と
をさらに有し、
前記無線部は、
前記処理部によって処理された信号に基づく無線信号を送信することを特徴とする請求項１に記載の無線装置。
【請求項５】
前記無線制御装置によって生成された、前記第１の情報を含むＭＡＣ（Media  Access  Control）レイヤの信号を受信する信号受信部をさらに有し、
前記無線部は、
前記信号受信部によって受信された信号に基づく無線信号を送信することを特徴とする請求項１に記載の無線装置。
【請求項６】
前記無線制御装置によって生成されたＭＡＣレイヤの信号を受信する信号受信部と、
前記信号受信部によって受信された前記ＭＡＣレイヤの信号に、前記第１の情報を設定する設定部をさらに有し、
前記無線部は、
前記設定部によって前記第１の情報が設定された前記ＭＡＣレイヤの信号に基づく無線信号を送信することを特徴とする請求項１に記載の無線装置。
【請求項７】
前記無線制御装置によって生成された、ＭＡＣレイヤよりも上位のレイヤの信号を受信する信号受信部と、
前記信号受信部によって受信された信号に対して、ＭＡＣレイヤの処理を実行し、前記ＭＡＣレイヤの処理が実行された信号に前記第１の情報を設定する設定部と
を有し、
前記無線部は、
前記設定部によって前記第１の情報が設定された前記ＭＡＣレイヤの信号に基づく無線信号を送信することを特徴とする請求項１に記載の無線装置。
【請求項８】
無線制御装置と１つ以上の無線装置とを備える基地局において、
前記無線装置は、
前記無線装置が形成する１つ以上のセルのそれぞれに、前記無線装置を識別する第１の情報と、前記無線装置が形成するセルを識別する第２の情報と、前記基地局を識別する情報とを含む信号を無線送信する無線部と、
前記無線制御装置から前記第２の情報を含むハンドオーバ指示を受信した場合に、前記無線部を介して、前記ハンドオーバ指示に含まれる前記第２の情報で識別されるセル内の端末装置との間で、ターゲット基地局として、ハンドオーバに関する処理を実行するハンドオーバ処理部と
を有し、
前記無線制御装置は、
上位装置から前記第１の情報および前記第２の情報を含むハンドオーバ要求メッセージを受信した場合、前記ハンドオーバ要求メッセージに含まれる前記第１の情報で識別される前記無線装置に、前記ハンドオーバ要求メッセージに含まれる前記第２の情報を含むハンドオーバ指示を送信するハンドオーバ指示部を有することを特徴とする基地局。
【請求項９】
第１の基地局が有する１つ以上の無線装置から、前記無線装置が形成する１つ以上のセルのいずれかにおいて、前記無線装置を識別する第１の情報と、前記セルを識別する第２の情報と、前記第１の基地局を識別する情報とを含む無線信号を受信する受信部と、
前記無線信号から前記第１の情報および前記第２の情報を取得する取得部と、
前記第１の情報および前記第２の情報を含む前記第１の基地局に関する情報を、第２の基地局へ送信する送信部と
を有することを特徴とする端末装置。
【請求項１０】
第１の基地局と、第２の基地局と、端末装置とを備える無線通信システムにおいて、
前記第１の基地局は、
無線制御装置と、
１つ以上の無線装置と
を有し、
前記無線装置は、
前記無線装置が形成する１つ以上のセルのそれぞれに、前記無線装置を識別する第１の情報と、前記無線装置が形成するセルを識別する第２の情報と、前記第１の基地局を識別する情報とを含む無線信号を送信する無線部と、
前記無線制御装置から前記セルを識別する第２の情報を含むハンドオーバ指示を受信した場合に、前記無線部を介して、前記ハンドオーバ指示に含まれる前記第２の情報で識別されるセル内の前記端末装置との間で、ターゲット基地局として、ハンドオーバに関する処理を実行するハンドオーバ処理部と
を有し、
前記無線制御装置は、
上位装置から前記第１の情報および前記第２の情報を含むハンドオーバ要求メッセージを受信した場合、前記ハンドオーバ要求メッセージに含まれる前記第１の情報で識別される前記無線装置に、前記ハンドオーバ要求メッセージに含まれる前記第２の情報を含むハンドオーバ指示を送信するハンドオーバ指示部を有し、
前記端末装置は、
前記第１の基地局から送信された前記無線信号を受信する受信部と、
前記無線信号から前記第１の情報および前記第２の情報を取得する取得部と、
前記第１の情報および前記第２の情報を含む前記第１の基地局に関する情報を、前記第２の基地局へ送信する送信部と
を有することを特徴とする無線通信システム。
【請求項１１】
無線制御装置および１つ以上の無線装置を備える基地局に用いられる前記無線装置が、
前記無線装置が形成する１つ以上のセルのそれぞれに、前記無線装置を識別する第１の情報と、前記無線装置が形成するセルを識別する第２の情報と、前記基地局を識別する情報とを含む無線信号を送信し、
無線制御装置から前記セルを識別する第２の情報を含むハンドオーバ指示を受信した場合に、前記ハンドオーバ指示に含まれる前記第２の情報で識別されるセル内の端末装置との間で、ターゲット基地局として、ハンドオーバに関する処理を実行する
ことを特徴とする通信方法。
【発明の詳細な説明】
【技術分野】
【０００１】
本発明は、無線装置、基地局、端末装置、無線通信システムおよび通信方法に関する。
【背景技術】
【０００２】
次世代（例えば、５Ｇ（第５世代移動体通信））のモバイルネットワークにおいて、基地局はｇＮＢ（next  generation  Node  B）と呼ばれ、ｇＮＢによって形成されるセルはＮＲ（New  Radio）  Ｃｅｌｌと呼ばれる。それぞれのｇＮＢは、ｇＮＢ＿ＩＤと呼ばれる識別子で識別され、それぞれのセルは、ＮＲ  Ｃｅｌｌ  Ｉｄｅｎｔｉｔｙ（以下、ＮＣＩと記載する）と呼ばれる識別子で識別される。ｇＮＢ＿ＩＤは、ＮＣＩの上位ビットを構成している（例えば、非特許文献１参照）。【０００３】
また、次世代のモバイルネットワークにおいて、メッセージ・トラフィックの増大に対応するために基地局における処理の集中と分散が検討されている。基地局における処理の分散としては、例えば、ＣＵ（Central  Unit）とＤＵ（Distributed  Unit）との分離（以下、ＣＵ／ＤＵ分離と記載する）が検討されている。ＣＵ／ＤＵ分離では、メッセージの処理をプロトコルの階層でノード毎に分離し、上位プロトコルがＣＵで処理され、下位プロトコルがＤＵで処理される。基地局内では、ＣＵとＤＵとを１対ＮあるいはＮ対１の組合せとすることが可能である。【０００４】
ＤＵは、セルを形成し、セル内の端末装置との間で無線通信を行う。１つのＤＵが１つのセルを形成する以外にも、１つのＤＵが複数のセルを形成する場合や、１つのセルが複数のＤＵによって形成される場合がある。また、下記の非特許文献２には、ＤＵの識別子とＮＣＩとは無関係の値であることが記載されている。
【先行技術文献】
【非特許文献】
【０００５】
【非特許文献１】3GPP  TS  38.413  V0.5.0（2017-12）
【非特許文献２】R3-173844
【発明の概要】
【発明が解決しようとする課題】
【０００６】
ところで、例えばＬＴＥ（Long  Term  Evolution）ベースのハンドオーバ手順を次世代のモバイルネットワークに適用した場合、ＤＵの識別子とＮＣＩとが無関係の値であると、例えば以下のような問題が存在する。【０００７】
ＬＴＥベースのハンドオーバ手順では、まず、端末装置は、ターゲット基地局から送信された無線信号を受信し、受信した無線信号から収集されたターゲット基地局の情報を含むＭＲ（Measurement  Report）メッセージを、帰属中のソース基地局へ送信する。ターゲット基地局の情報としては、例えばｇＮＢ＿ＩＤおよびＮＣＩ等が含まれる。ソース基地局は、ｇＮＢ＿ＩＤおよびＮＣＩを含むHO  REQUIREDを上位装置へ送信する。上位装置は、HO  REQUIREDに含まれているｇＮＢ  ＩＤに対応するターゲット基地局へ、ＮＣＩを含むHO  REQUESTを送信する。【０００８】
ここで、ターゲット基地局は、上位装置から受信したHO  REQUESTに基づいて、ハンドオーバの処理を行うセルを特定することができる。しかし、ターゲット基地局が複数のＤＵを有する場合には、ターゲット基地局のＣＵは、ハンドオーバの処理を行うセルがいずれのＤＵによって管理されているのかを特定することが困難である。そのため、ターゲット基地局のＣＵは、いずれのＤＵにハンドオーバの処理を実行させるかを判断することが困難である。従って、端末装置がＣＵと分離されたＤＵへハンドオーバすることは困難である。【０００９】
開示の技術は、上記に鑑みてなされたものであって、ＣＵ／ＤＵ分離された基地局への端末装置のハンドオーバを実現することを目的とする。
【課題を解決するための手段】
【００１０】
本願が開示する無線装置は、１つの態様において、無線制御装置および無線装置を備える基地局に用いられる無線装置であって、無線部と、ハンドオーバ処理部とを有する。無線部は、セル内に自装置を識別する第１の情報を含む無線信号を送信する。ハンドオーバ処理部は、無線制御装置からセルを識別する第２の情報を含むハンドオーバ指示を受信した場合に、無線部を介して、ハンドオーバ指示に含まれる第２の情報に応じてセル内の端末装置との間でハンドオーバに関する処理を実行する。
【発明の効果】
【００１１】
本願が開示する無線装置、基地局、端末装置、無線通信システムおよび通信方法の１つの態様によれば、ＣＵと分離されたＤＵを有する基地局への端末装置のハンドオーバを実現することができるという効果を奏する。
【図面の簡単な説明】
【００１２】
【図１】図１は、無線通信システムの一例を示す図である。
【図２】図２は、ＵＥがハンドオーバする際の無線通信システムの処理の一例を示す図である。
【図３】図３は、実施例１におけるＣＵの一例を示すブロック図である。
【図４】図４は、ＬＬＳを説明する図である。
【図５】図５は、ＩＤテーブルの一例を示す図である。
【図６】図６は、実施例１におけるＤＵの一例を示すブロック図である。
【図７】図７は、ＵＥの一例を示すブロック図である。
【図８】図８は、実施例１におけるｇＮＢの処理の一例を示す図である。
【図９】図９は、ＨＬＳを説明する図である。
【図１０】図１０は、実施例２におけるＣＵの一例を示すブロック図である。
【図１１】図１１は、実施例２におけるＤＵの一例を示すブロック図である。
【図１２】図１２は、実施例２におけるｇＮＢの処理の一例を示す図である。
【図１３】図１３は、実施例３におけるＣＵの一例を示すブロック図である。
【図１４】図１４は、実施例３におけるＤＵの一例を示すブロック図である。
【図１５】図１５は、実施例３におけるｇＮＢの処理の一例を示す図である。
【図１６】図１６は、実施例４におけるＣＵの一例を示すブロック図である。
【図１７】図１７は、実施例４におけるｇＮＢの処理の一例を示す図である。
【図１８】図１８は、実施例５におけるＣＵの一例を示すブロック図である。
【図１９】図１９は、実施例５におけるＤＵの一例を示すブロック図である。
【図２０】図２０は、実施例５におけるｇＮＢの処理の一例を示す図である。
【図２１】図２１は、実施例６におけるＤＵの一例を示すブロック図である。
【図２２】図２２は、実施例６におけるｇＮＢの処理の一例を示す図である。
【図２３】図２３は、ＣＵのハードウェアの一例を示す図である。
【図２４】図２４は、ＤＵのハードウェアの一例を示す図である。
【図２５】図２５は、ＵＥのハードウェアの一例を示す図である。
【発明を実施するための形態】
【００１３】
以下、本願が開示する無線装置、基地局、端末装置、無線通信システムおよび通信方法の実施例について、図面を参照しながら詳細に説明する。なお、以下の実施例により開示の技術が限定されるものではない。また、各実施例は、処理内容を矛盾させない範囲で適宜組み合わせることが可能である。
【実施例１】
【００１４】
［無線通信システム１０］
図１は、無線通信システム１０の一例を示す図である。無線通信システム１０は、コアネットワーク１１と、複数のｇＮＢ２０−１および２０−２と、ＵＥ（User  Equipment）３０とを備える。なお、以下では、複数のｇＮＢ２０−１および２０−２のそれぞれを区別することなく総称する場合にｇＮＢ２０と記載する。それぞれのｇＮＢ２０は、コアネットワーク１１に接続されており、ＵＥ３０の無線接続を制御し、ＵＥ３０とコアネットワーク１１との間の通信を中継する。それぞれのｇＮＢ２０は、基地局の一例であり、ＵＥ３０は、端末装置の一例である。また、ｇＮＢ２０−１は、第２の基地局の一例であり、ｇＮＢ２０−２は、第１の基地局の一例である。【００１５】
コアネットワーク１１は、ＡＵＳＦ（AUthentication  Server  Function）１２、ＵＤＭ（Unified  Data  Management）１３、およびＡＭＦ（Access  and  Mobility  Management  Function）１４を有する。また、コアネットワーク１１は、ＳＭＦ（Session  Management  Function）１５、ＰＣＦ（Policy  Control  Function）１６、ＡＦ（Application  Function）１７、およびＵＰＦ（User  Plane  Function）１８を有する。ＵＰＦ１８は、データネットワーク１９に接続されている。ＡＭＦ１４およびＵＰＦ１８は、ＮＧインターフェイスを介して、それぞれのｇＮＢ２０に接続されている。ＡＭＦ１４およびＵＰＦ１８は、上位装置の一例である。【００１６】
それぞれのｇＮＢ２０は、ＣＵ２１および複数のＤＵ２２−１〜２２−ｎを有する。なお、以下では、複数のＤＵ２２−１〜２２−ｎのそれぞれを区別することなく総称する場合にＤＵ２２と記載する。ＣＵ２１とそれぞれのＤＵ２２とは、Ｆ１インターフェイスを介して接続されている。なお、それぞれのｇＮＢ２０が有するＤＵ２２は、１つであってもよい。また、それぞれのｇＮＢ２０は、複数のＣＵ２１を有していてもよい。【００１７】
ＣＵ２１は、ＡＭＦ１４との間で、無線アクセスの上位プロトコルにおけるＣ−Ｐｌａｎｅに関する処理を行い、ＵＰＦ１８との間で、無線アクセスの上位プロトコルにおけるＵ−Ｐｌａｎｅに関する処理を行う。ＤＵ２２は、無線アクセスにおける下位プロトコルの処理を行う。また、ＤＵ２２は、無線信号によりセル２３を形成し、セル２３内のＵＥ３０との間で無線通信を行う。ＣＵ２１は無線制御装置の一例であり、ＤＵ２２は無線装置の一例である。【００１８】
ＵＥ３０は、セル２３において、セル２３を管理しているＤＵ２２と無線通信を行う。ＵＥ３０は、例えば図１の矢印に示されるように、ｇＮＢ２０−１のＤＵ２２が管理するセル２３内から、ｇＮＢ２０−２のＤＵ２２が管理するセル２３内に移動した場合、ｇＮＢ２０−１からｇＮＢ２０−２へハンドオーバを行う。なお、以下では、ハンドオーバをＨＯと記載する場合がある。【００１９】
［ＨＯ時の無線通信システム１０の処理］
図２は、ＵＥ３０がハンドオーバする際の無線通信システム１０の処理の一例を示す図である。図２では、ｇＮＢ２０−１に帰属しているＵＥ３０が、ｇＮＢ２０−２にハンドオーバする際の処理が示されている。なお、帰属しているとは、例えば、ＵＥ３０とｇＮＢ２０との間で、少なくともＣ−Ｐｌａｎｅの無線ベアラが確立されている状態を意味する。また、図２では、それぞれのｇＮＢ２０において、ｇＮＢ２０が有する複数のＤＵ２２の中の１つのＤＵ２２が図示されている。【００２０】
それぞれのｇＮＢ２０のＤＵ２２は、ＤＵ２２の識別子であるＤＵ＿ＩＤおよびＮＣＩを含む無線信号をセル２３内に送信している（Ｓ１００、Ｓ１０１）。ＤＵ＿ＩＤは、第１の情報の一例であり、ＮＣＩは、第２の情報の一例である。ＵＥ３０は、ｇＮＢ２０−２から送信された無線信号を受信した場合、受信された無線信号の受信電力およびＮＣＩを含むＭＲメッセージをｇＮＢ２０−１へ送信する（Ｓ１０２）。【００２１】
ｇＮＢ２０−１のＤＵ２２は、ＵＥ３０から受信したＭＲメッセージをＣＵ２１へ転送する（Ｓ１０３）。ｇＮＢ２０−１のＣＵ２１は、ＵＥ３０から送信されたＭＲメッセージに含まれる受信電力がＨＯの条件を満たすか否かを判定する。ＨＯの条件が満たされた場合、ＣＵ２１は、ＵＥ３０のＨＯを決定する（Ｓ１０４）。そして、ＣＵ２１は、ＨＯ先となるターゲットｇＮＢのＤＵ＿ＩＤを要求するＩＤ要求メッセージをＤＵ２２へ送信する（Ｓ１０５）。ＤＵ２２は、ＣＵ２１から送信されたＩＤ要求メッセージをＵＥ３０へ無線送信する（Ｓ１０６）。【００２２】
ＵＥ３０は、ｇＮＢ２０−１のＤＵ２２から送信されたＩＤ要求メッセージを受信する。そして、ＵＥ３０は、ｇＮＢ２０−２から送信された無線信号を受信し（Ｓ１０７）、受信した無線信号からＤＵ＿ＩＤを取得する（Ｓ１０８）。そして、ＵＥ３０は、ＤＵ＿ＩＤをさらに含むＭＲメッセージをｇＮＢ２０−１へ送信する（Ｓ１０９）。【００２３】
ｇＮＢ２０−１のＤＵ２２は、ＵＥ３０から受信したＭＲメッセージをＣＵ２１へ転送する（Ｓ１１０）。ＣＵ２１は、ＵＥ３０から送信されたＭＲメッセージからＤＵ＿ＩＤおよびＮＣＩ等を取得する。そして、ＣＵ２１は、ＮＣＩからターゲットｇＮＢのｇＮＢ＿ＩＤを抽出する。そして、ＣＵ２１は、ｇＮＢ＿ＩＤ、ＮＣＩ、およびＤＵ＿ＩＤを含むHO  REQUIREDメッセージを生成する。そして、ＣＵ２１は、HO  REQUIREDメッセージを、ＮＧインターフェイスを介してＡＭＦ１４へ送信する（Ｓ１１１）。HO  REQUIREDは、ハンドオーバ要求メッセージの一例である。【００２４】
ＡＭＦ１４は、HO  REQUIREDメッセージを受信した場合、HO  REQUIREDメッセージからｇＮＢ＿ＩＤ、ＮＣＩ、およびＤＵ＿ＩＤ等を取得する。そして、ＡＭＦ１４は、ＮＣＩおよびＤＵ＿ＩＤを含むHO  REQUESTメッセージを生成する。そして、ＡＭＦ１４は、HO  REQUESTメッセージを、ＮＧインターフェイスを介して、HO  REQUIREDメッセージから取得されたｇＮＢ＿ＩＤに対応するｇＮＢ２０−２へ送信する（Ｓ１１２）。【００２５】
ｇＮＢ２０−２のＣＵ２１は、HO  REQUESTメッセージを受信した場合、HO  REQUESTメッセージからＮＣＩおよびＤＵ＿ＩＤ等を取得する。そして、ＣＵ２１は、ＮＣＩを含むＨＯ指示を生成する。そして、ＣＵ２１は、ＤＵ＿ＩＤに対応するＤＵ２２を、ＨＯ指示の送信先として選択する（Ｓ１１３）。そして、ＣＵ２１は、選択されたＤＵ２２へ、ＨＯ指示を送信する（Ｓ１１４）。以降、ＡＭＦ１４、それぞれのｇＮＢ２０、およびＵＥ３０によって、ＨＯに関する残りの処理が実行される（Ｓ１１５）。ＨＯに関する残りの処理は、従来のＨＯにおける処理と同様であるため、詳細な説明を省略する。これにより、ＵＥ３０は、ＣＵ２１と分離されたＤＵ２２へのハンドオーバを実現することができる。【００２６】
［ＣＵ２１］
図３は、実施例１におけるＣＵ２１の一例を示すブロック図である。ＣＵ２１は、ＮＧインターフェイス部２１０、上位レイヤ処理部２１１、ＩＤテーブル保持部２１２、ＨＯ指示部２１３、下位レイヤ処理部２１４、ＩＤ管理部２１５、ＨＯ制御部２１６、およびＦ１インターフェイス部２１７を有する。【００２７】
本実施例において、ｇＮＢ２０において処理されるプロトコルの階層は、ＬＬＳ（Low  Layer  Split）により２つに分けられ、上位のプロトコルがＣＵ２１によって処理され、下位のプロトコルがＤＵ２２によって処理される。図４は、ＬＬＳを説明する図である。本実施例において、ＣＵ２１は、ＲＲＣレイヤ、ＰＤＣＰレイヤ、ＲＬＣレイヤ、およびＭＡＣレイヤを処理する。また、ＤＵ２２は、ＰＨＹレイヤを処理する。ＲＲＣは、Radio  Resource  Controlの略であり、ＰＤＣＰは、Packet  Data  Convergence  Protocolの略であり、ＲＬＣは、Radio  Link  Controlの略であり、ＭＡＣは、Media  Access  Controlの略であり、ＰＨＹは、PHYsicalの略である。ＲＲＣレイヤは、無線制御レイヤの一例である。【００２８】
ＮＧインターフェイス部２１０は、ＡＭＦ１４およびＵＰＦ１８との間でＮＧインターフェイスを確立し、ＮＧインターフェイスを介してＡＭＦ１４およびＵＰＦ１８と通信を行う。Ｆ１インターフェイス部２１７は、それぞれのＤＵ２２との間でＦ１インターフェイスを確立し、Ｆ１インターフェイスを介してそれぞれのＤＵ２２と通信を行う。【００２９】
ＩＤ管理部２１５は、ＤＵ２２毎に、Ｆ１インターフェイス部２１７によってそれぞれのＤＵ２２との間でＦ１インターフェイスが確立された場合に、ＤＵ２２に対してＤＵ＿ＩＤを発行する。そして、ＩＤ管理部２１５は、発行されたＤＵ＿ＩＤを、ＤＵ２２へアクセスするための情報に対応付けて、ＩＤテーブル保持部２１２内のＩＤテーブル２１２０に登録する。【００３０】
ＩＤテーブル保持部２１２は、例えは図５に示されるようなＩＤテーブル２１２０を保持する。図５は、ＩＤテーブル２１２０の一例を示す図である。ＩＤテーブル２１２０には、ＤＵ＿ＩＤに対応付けて、当該ＤＵ＿ＩＤで特定されるＤＵ２２にアクセスするためのアクセス情報が格納される。アクセス情報は、例えば、ＣＵ２１とそれぞれのＤＵ２２とを接続するネットワーク内のアドレスである。【００３１】
上位レイヤ処理部２１１は、ＤＵ２２毎に、ＤＵ２２に固有のＤＵ＿ＩＤをＩＤテーブル保持部２１２内のＩＤテーブル２１２０から取得する。そして、上位レイヤ処理部２１１は、ＤＵ２２毎に、ＤＵ＿ＩＤが設定された上位レイヤの信号を生成する。本実施例において、上位レイヤとは、例えばＲＲＣレイヤである。上位レイヤ処理部２１１は、ＤＵ２２毎に、生成された上位レイヤの信号を下位レイヤ処理部２１４へ出力する。【００３２】
下位レイヤ処理部２１４は、ＤＵ２２毎に、上位レイヤ処理部２１１から出力された上位レイヤの信号に対して、下位レイヤの処理を実行する。本実施例において、下位レイヤとは、例えばＰＤＣＰレイヤ、ＲＬＣレイヤ、およびＭＡＣレイヤである。下位レイヤ処理部２１４は、ＤＵ２２毎に、ＭＡＣレイヤの処理が行われた信号をＦ１インターフェイス部２１７へ出力する。Ｆ１インターフェイス部２１７は、下位レイヤ処理部２１４から出力された信号を、対応するＤＵ２２へ送信する。【００３３】
ＨＯ制御部２１６は、Ｆ１インターフェイス部２１７を介して、ＤＵ２２からＭＲメッセージを受信した場合、ＭＲメッセージに含まれる受信電力に基づいてＨＯの条件が満たされたか否かを判定する。ＨＯの条件が満たされた場合、ＨＯ制御部２１６は、ＵＥ３０のＨＯを決定する。そして、ＨＯ制御部２１６は、ＨＯ先となるターゲットｇＮＢのＤＵ＿ＩＤを要求するＩＤ要求メッセージを生成する。そして、ＨＯ制御部２１６は、生成されたＩＤ要求メッセージを、Ｆ１インターフェイス部２１７を介して、ＭＲメッセージの送信元のＤＵ２２へ送信する。【００３４】
また、ＨＯ制御部２１６は、Ｆ１インターフェイス部２１７を介して、ＤＵ２２からＤＵ＿ＩＤを含むＭＲメッセージを受信した場合、ＭＲメッセージからＤＵ＿ＩＤおよびＮＣＩ等を取得する。そして、ＨＯ制御部２１６は、ＮＣＩからターゲットｇＮＢのｇＮＢ＿ＩＤを抽出する。そして、ＨＯ制御部２１６は、ｇＮＢ＿ＩＤ、ＮＣＩ、およびＤＵ＿ＩＤを含むHO  REQUIREDメッセージを生成する。そして、ＨＯ制御部２１６は、生成されたHO  REQUIREDメッセージを、ＮＧインターフェイス部２１０を介してＡＭＦ１４へ送信する。【００３５】
ＨＯ指示部２１３は、ＮＧインターフェイス部２１０を介して、ＡＭＦ１４からHO  REQUESTメッセージを受信した場合、HO  REQUESTメッセージからＮＣＩおよびＤＵ＿ＩＤ等を取得する。そして、ＨＯ指示部２１３は、ＮＣＩを含むＨＯ指示を生成する。そして、ＨＯ指示部２１３は、ＩＤテーブル保持部２１２内のＩＤテーブル保持部２１２を参照して、ＤＵ＿ＩＤに対応するアクセス情報に対応するＤＵ２２を、ＨＯ指示の送信先として選択する。そして、ＨＯ指示部２１３は、Ｆ１インターフェイス部２１７を介して、選択されたＤＵ２２へＨＯ指示を送信する。【００３６】
［ＤＵ２２］
図６は、実施例１におけるＤＵ２２の一例を示すブロック図である。ＤＵ２２は、Ｆ１インターフェイス部２２０、ＨＯ処理部２２１、無線部２２２、およびアンテナ２２３を有する。Ｆ１インターフェイス部２２０は、ＣＵ２１との間でＦ１インターフェイスを確立し、Ｆ１インターフェイスを介してＣＵ２１と通信を行う。Ｆ１インターフェイス部２２０は、信号受信部の一例である。【００３７】
無線部２２２は、アンテナ２２３を介して無線信号を送信することにより、無線信号が到達する範囲にセル２３を形成する。また、無線部２２２は、Ｆ１インターフェイス部２２０を介して、ＣＵ２１から受信した信号に対してＰＨＹレイヤの処理を実行する。そして、無線部２２２は、ＰＨＹレイヤの処理が実行された信号を、アンテナ２２３を介してセル２３内に送信する。また、無線部２２２は、アンテナ２２３を介してセル２３内のＵＥ３０から受信した無線信号に対して、ＰＨＹレイヤの処理を実行する。そして、無線部２２２は、ＰＨＹレイヤの処理が実行された信号を、Ｆ１インターフェイス部２２０を介してＣＵ２１へ送信する。【００３８】
ＨＯ処理部２２１は、Ｆ１インターフェイス部２２０を介して、ＣＵ２１からＨＯ指示を受信した場合、無線部２２２およびアンテナ２２３を介して、ＨＯ指示に含まれるＮＣＩで特定されるセル２３内のＵＥ３０との間でハンドオーバに関する処理を実行する。例えば、ＨＯ処理部２２１は、図２のステップＳ１１５に示された処理を実行する。具体的には、ハンドオーバ対象のＵＥ３０からの信号を待ち受ける処理、当該ＵＥ３０へハンドオーバに関するメッセージを送信する処理等を行う。【００３９】
［ＵＥ３０］
図７は、ＵＥ３０の一例を示すブロック図である。ＵＥ３０は、ＨＯ処理部３１、無線部３２、およびアンテナ３３を有する。【００４０】
無線部３２は、ＤＵ２２から送信された無線信号を受信し、受信した無線信号に対して、ダウンコンバートや復号等の処理を行う。ＤＵ２２から送信された無線信号には、ＤＵ２２のＤＵ＿ＩＤが含まれている。そして、無線部３２は、処理後の信号をＨＯ処理部３１へ出力する。また、無線部３２は、ＨＯ処理部３１から出力された信号に対して、符号化やアップコンバート等の処理を行う。そして、無線部３２は、処理後の信号を、アンテナ３３を介してＤＵ２２へ送信する。無線部３２は、送信部および受信部の一例である。【００４１】
ＨＯ処理部３１は、無線部３２によって受信された信号に基づいて、周囲のＤＵ２２から送信された無線信号の受信電力を測定する。また、ＨＯ処理部３１は、無線部３２によって受信された信号から周囲のＤＵ２２のＮＣＩ等を取得する。そして、ＨＯ処理部３１は、受信電力およびＮＣＩを含むＭＲメッセージを生成し、生成されたＭＲメッセージを無線部３２へ出力する。ＭＲメッセージは、無線部３２によって無線信号に変換され、アンテナ３３を介して帰属中のＤＵ２２へ送信される。【００４２】
また、ＨＯ処理部３１は、無線部３２によって受信された信号がＩＤ要求である場合、無線部３２によって受信された信号から周囲のＤＵ２２のＤＵ＿ＩＤをさらに取得する。そして、ＨＯ処理部３１は、ＤＵ＿ＩＤをさらに含むＭＲメッセージを生成て、生成されたＭＲメッセージを無線部３２へ出力する。ＤＵ＿ＩＤをさらに含むＭＲメッセージは、無線部３２によって無線信号に変換され、アンテナ３３を介して帰属中のＤＵ２２へ送信される。【００４３】
［ｇＮＢ２０の処理］
図８は、実施例１におけるｇＮＢ２０の処理の一例を示す図である。図８では、ｇＮＢ２０の処理のうち、主に、ＤＵ＿ＩＤを含む無線信号を送信する際の処理について示されている。なお、図８では、ｇＮＢ２０内の複数のＤＵ２２のうち、１つのＤＵ２２についての処理が示されているが、ｇＮＢ２０内の他のＤＵ２２の処理についても同様である。【００４４】
まず、ＣＵ２１のＦ１インターフェイス部２１７とＤＵ２２のＦ１インターフェイス部２２０とは、Ｆ１インターフェイスを確立するための処理を実行する（Ｓ２００）。これにより、ＣＵ２１とＤＵ２２とは、Ｆ１インターフェイスを介して通信が可能となる。そして、ＣＵ２１のＩＤ管理部２１５は、ＤＵ２２に対してＤＵ＿ＩＤを発行し、発行されたＤＵ＿ＩＤを、ＤＵ２２へアクセスするためのアクセス情報に対応付けてＩＤテーブル保持部２１２内のＩＤテーブル２１２０に登録する（Ｓ２０１）。【００４５】
次に、セル２３内に無線信号を送信する場合、ＣＵ２１の上位レイヤ処理部２１１は、ＲＲＣレイヤの信号であるＲＲＣ信号を生成する（Ｓ２０２）。また、上位レイヤ処理部２１１は、ＲＲＣ信号の送信先のＤＵ２２に固有のＤＵ＿ＩＤをＩＤテーブル保持部２１２内のＩＤテーブル２１２０から取得する。そして、上位レイヤ処理部２１１は、ＤＵ＿ＩＤを含むＲＲＣ信号である固有ＲＲＣ信号を生成する（Ｓ２０３）。そして、上位レイヤ処理部２１１は、生成されたＲＲＣ信号および固有ＲＲＣ信号を下位レイヤ処理部２１４へ出力する。【００４６】
次に、ＣＵ２１の下位レイヤ処理部２１４は、上位レイヤ処理部２１１から出力されたＲＲＣ信号および固有ＲＲＣ信号に対して、ＰＤＣＰレイヤの処理を実行する（Ｓ２０４）。ＰＤＣＰレイヤでは、秘匿、正当性確認、順序整列、およびヘッダ圧縮等の処理が行われる。【００４７】
次に、下位レイヤ処理部２１４は、ＰＤＣＰレイヤの処理が行われた信号に対して、ＲＬＣレイヤの処理を実行する（Ｓ２０５）。ＲＬＣレイヤでは、再送制御等の処理が行われる。【００４８】
次に、下位レイヤ処理部２１４は、ＲＬＣレイヤの処理が行われた信号に対して、ＭＡＣレイヤの処理を実行する（Ｓ２０６）。ＭＡＣレイヤでは、無線リソースへのデータのマッピング等の処理が行われる。そして、下位レイヤ処理部２１４は、ＭＡＣレイヤの処理が行われた信号を、Ｆ１インターフェイス部２１７へ出力する。Ｆ１インターフェイス部２１７は、下位レイヤ処理部２１４から出力された信号を、Ｆ１インターフェイスを介して、ＤＵ＿ＩＤに対応するＤＵ２２へ送信する（Ｓ２０７）。【００４９】
ＤＵ２２のＦ１インターフェイス部２２０は、ＣＵ２１から受信した信号を無線部２２２へ出力する。無線部２２２は、ＣＵ２１から送信された信号に対して、ＰＨＹレイヤの処理を実行する（Ｓ２０８）。ＰＨＹレイヤレイヤでは、符号化や変調等の処理が行われる。そして、無線部２２２は、ＰＨＹレイヤの処理が行われた信号を、無線信号としてアンテナ２２３から送信する（Ｓ２０９）。【００５０】
［実施例１の効果］
以上、実施例１について説明した。上記したように、本実施例の無線通信システム１０は、ｇＮＢ２０とＵＥ３０とを備える。ｇＮＢ２０は、ＣＵ２１とＤＵ２２とを有する。ＤＵ２２は、ＨＯ処理部２２１および無線部２２２を有する。無線部２２２は、ＤＵ２２が管理するセル２３内にＤＵ＿ＩＤを含む信号を無線送信する。ＨＯ処理部２２１は、ＣＵ２１からＮＣＩを含むＨＯ指示を受信した場合に、無線部２２２を介して、ＨＯ指示に含まれるＮＣＩに応じてセル２３内のＵＥ３０との間でハンドオーバに関する処理を実行する。ＣＵ２１は、ＨＯ指示部２１３を有する。ＨＯ指示部２１３は、ＡＭＦ１４からＮＣＩおよびＤＵ＿ＩＤを含むHO  REQUIREDを受信した場合、HO  REQUIREDに含まれるＤＵ＿ＩＤで識別されるＤＵ２２に、HO  REQUIREDに含まれるＮＣＩを含むＨＯ指示を送信する。ＵＥ３０は、ＨＯ処理部３１および無線部３２を有する。無線部３２は、ｇＮＢ２０から送信された無線信号を受信する。ＨＯ処理部３１は、無線部３２によって受信された無線信号からＤＵ＿ＩＤを取得する。また、無線部３２は、ＤＵ＿ＩＤを含む周囲のｇＮＢ２０に関する情報を、他のｇＮＢ２０へ送信する。これにより、ＵＥ３０は、ＣＵ２１と分離されたＤＵ２２を有するｇＮＢ２０へのハンドオーバを実現することができる。【００５１】
また、本実施例のＤＵ２２は、ＣＵ２１によって生成された、ＤＵ＿ＩＤが設定されたＲＲＣレイヤの信号を含む信号を受信するＦ１インターフェイス部２２０をさらに有する。無線部２２２は、Ｆ１インターフェイス部２２０によって受信された信号に基づく無線信号を送信する。これにより、ＤＵ２２は、ＤＵ＿ＩＤを含む無線信号を送信することができる。
【実施例２】
【００５２】
上記した実施例１では、ｇＮＢ２０で処理されるプロトコルの階層が、ＬＬＳにより２つに分けられた。これに対し、本実施例２では、ｇＮＢ２０で処理されるプロトコルの階層が、ＨＬＳ（High  Layer  Split）により２つに分けられる。図９は、ＨＬＳを説明する図である。本実施例において、ＣＵ２１は、ＲＲＣレイヤおよびＰＤＣＰレイヤを処理し、ＤＵ２２は、ＲＬＣレイヤ、ＭＡＣレイヤ、およびＰＨＹレイヤを処理する。【００５３】
［ＣＵ２１］
図１０は、実施例２におけるＣＵ２１の一例を示すブロック図である。ＣＵ２１は、ＮＧインターフェイス部２１０、上位レイヤ処理部２１１、ＩＤテーブル保持部２１２、ＨＯ指示部２１３、ＩＤ管理部２１５、ＨＯ制御部２１６、およびＦ１インターフェイス部２１７を有する。なお、図１０において、図３と同じ符号が付されたブロックは、以下に説明する点を除き、図３において説明されたブロックと同様であるため、説明を省略する。【００５４】
上位レイヤ処理部２１１は、ＤＵ２２毎に、ＲＲＣ信号および固有ＲＲＣ信号を生成し、ＲＲＣ信号および固有ＲＲＣに対して、ＰＤＣＰレイヤの処理を実行する。そして、上位レイヤ処理部２１１は、ＰＤＣＰレイヤの処理が実行された信号をＦ１インターフェイス部２１７へ出力する。Ｆ１インターフェイス部２１７は、上位レイヤ処理部２１１から出力された信号を、対応するＤＵ２２へ送信する。【００５５】
［ＤＵ２２］
図１１は、実施例２におけるＤＵ２２の一例を示すブロック図である。ＤＵ２２は、Ｆ１インターフェイス部２２０、ＨＯ処理部２２１、無線部２２２、アンテナ２２３、および下位レイヤ処理部２２４を有する。なお、図１１において、図６と同じ符号が付されたブロックは、以下に説明する点を除き、図６において説明されたブロックと同様であるため、説明を省略する。【００５６】
Ｆ１インターフェイス部２２０は、ＣＵ２１から受信した、ＰＤＣＰレイヤの処理が行われた信号を下位レイヤ処理部２２４へ出力する。ＰＤＣＰレイヤの処理が行われた信号は、無線制御レイヤの信号にＤＵ＿ＩＤが設定された信号の一例である。下位レイヤ処理部２２４は、Ｆ１インターフェイス部２２０を介してＣＵ２１から受信した信号に対して、下位レイヤの処理を実行する。本実施例において、下位レイヤとは、例えばＲＬＣレイヤおよびＭＡＣレイヤである。下位レイヤ処理部２２４は、ＭＡＣレイヤの処理が行われた信号を無線部２２２へ出力する。無線部２２２は、下位レイヤ処理部２２４から出力された信号に対してＰＨＹレイヤの処理を実行する。そして、無線部２２２は、ＰＨＹレイヤの処理が実行された信号を、アンテナ２２３を介してセル２３内に送信する。【００５７】
［ｇＮＢ２０の処理］
図１２は、実施例２におけるｇＮＢ２０の処理の一例を示す図である。図１２では、ｇＮＢ２０の処理のうち、主に、ＤＵ＿ＩＤを含む無線信号を送信する際の処理について示されている。なお、図１２において、図８と同じ符号が付された処理は、以下に説明する点を除き、図８において説明された処理と同様であるため、説明を省略する。【００５８】
ＣＵ２１の上位レイヤ処理部２１１は、ＲＲＣ信号および固有ＲＲＣ信号を生成する（Ｓ２０２、Ｓ２０３）。そして、上位レイヤ処理部２１１は、ＲＲＣ信号および固有ＲＲＣ信号に対して、ＰＤＣＰレイヤの処理を実行する（Ｓ２０４）。そして、上位レイヤ処理部２１１は、ＰＤＣＰレイヤの処理が実行された信号をＦ１インターフェイス部２１７へ出力する。Ｆ１インターフェイス部２１７は、上位レイヤ処理部２１１から出力された信号を、Ｆ１インターフェイスを介して、ＤＵ＿ＩＤに対応するＤＵ２２へ送信する（Ｓ２２０）。【００５９】
ＤＵ２２のＦ１インターフェイス部２２０は、ＣＵ２１から受信した、ＰＤＣＰレイヤの処理が行われた信号を下位レイヤ処理部２２４へ出力する。下位レイヤ処理部２２４は、ＰＤＣＰレイヤの処理が行われた信号に対して、ＲＬＣレイヤの処理を実行する（Ｓ２２１）。そして、下位レイヤ処理部２２４は、ＲＬＣレイヤの処理が行われた信号に対して、ＭＡＣレイヤの処理を実行する（Ｓ２２２）。そして、下位レイヤ処理部２２４は、ＭＡＣレイヤの処理が実行された信号を無線部２２２へ出力する。以降、図８に示された処理と同様の処理が実行される。【００６０】
［実施例２の効果］
以上、実施例２について説明した。上記したように、本実施例のＦ１インターフェイス部２２０は、ＣＵ２１によって生成された、ＤＵ＿ＩＤが設定されたＲＲＣレイヤの信号を含む信号を受信する。また、下位レイヤ処理部２２４は、Ｆ１インターフェイス部２２０によって受信された信号に対して、ＲＲＣレイヤよりも下位のレイヤの処理を実行する。また、無線部２２２は、下位レイヤ処理部２２４によって処理された信号に基づく無線信号を送信する。これにより、ＤＵ２２は、ＤＵ＿ＩＤを含む無線信号を送信することができる。
【実施例３】
【００６１】
上記した実施例１では、ＤＵ＿ＩＤが設定された上位レイヤの信号がＣＵ２１によって生成された。これに対し、本実施例３では、ＤＵ＿ＩＤが設定された上位レイヤの信号がＤＵ２２によって生成される。なお、本実施例３では、ｇＮＢ２０で処理されるプロトコルの階層が、ＨＬＳにより２つに分けられる。【００６２】
［ＣＵ２１］
図１３は、実施例３におけるＣＵ２１の一例を示すブロック図である。ＣＵ２１は、ＮＧインターフェイス部２１０、上位レイヤ処理部２１１、ＩＤテーブル保持部２１２、ＨＯ指示部２１３、ＩＤ管理部２１５、ＨＯ制御部２１６、およびＦ１インターフェイス部２１７を有する。なお、図１３において、図３と同じ符号が付されたブロックは、以下に説明する点を除き、図３において説明されたブロックと同様であるため、説明を省略する。【００６３】
ＩＤ管理部２１５は、ＤＵ２２毎に、Ｆ１インターフェイス部２１７によってそれぞれのＤＵ２２との間でＦ１インターフェイスが確立された場合に、ＤＵ２２に対してＤＵ＿ＩＤを発行する。そして、ＩＤ管理部２１５は、発行されたＤＵ＿ＩＤを、ＤＵ２２へアクセスするための情報に対応付けて、ＩＤテーブル保持部２１２内のＩＤテーブル２１２０に登録する。また、ＩＤ管理部２１５は、発行されたＤＵ＿ＩＤを、Ｆ１インターフェイス部２１７を介して、対応するＤＵ２２へ通知する。【００６４】
上位レイヤ処理部２１１は、ＤＵ２２毎に、ＲＲＣ信号を生成し、ＲＲＣ信号に対して、ＰＤＣＰレイヤの処理を実行する。上位レイヤ処理部２１１によってＰＤＣＰレイヤの処理が実行された信号は、第１の信号の一例である。そして、上位レイヤ処理部２１１は、ＰＤＣＰレイヤの処理が実行された信号をＦ１インターフェイス部２１７へ出力する。Ｆ１インターフェイス部２１７は、上位レイヤ処理部２１１から出力された信号を、対応するＤＵ２２へ送信する。【００６５】
［ＤＵ２２］
図１４は、実施例３におけるＤＵ２２の一例を示すブロック図である。ＤＵ２２は、Ｆ１インターフェイス部２２０、ＨＯ処理部２２１、無線部２２２、アンテナ２２３、下位レイヤ処理部２２４、ＩＤ管理部２２５、および上位レイヤ処理部２２６を有する。なお、図１４において、図１１と同じ符号が付されたブロックは、以下に説明する点を除き、図１１において説明されたブロックと同様であるため、説明を省略する。【００６６】
Ｆ１インターフェイス部２２０は、ＣＵ２１から通知されたＤＵ＿ＩＤをＩＤ管理部２２５へ出力する。ＩＤ管理部２２５は、Ｆ１インターフェイス部２２０から出力されたＤＵ＿ＩＤを保持する。そして、ＩＤ管理部２２５は、ＤＵ＿ＩＤを上位レイヤ処理部２２６へ出力する。上位レイヤ処理部２２６は、ＩＤ管理部２２５から出力されたＤＵ＿ＩＤが設定された固有ＲＲＣ信号を生成する。そして、上位レイヤ処理部２２６は、固有ＲＲＣ信号に対して、ＰＤＣＰレイヤの処理を実行する。そして、上位レイヤ処理部２２６は、ＰＤＣＰレイヤの処理が実行された信号を、下位レイヤ処理部２２４へ出力する。上位レイヤ処理部２２６は、生成部の一例である。また、上位レイヤ処理部２２６によってＰＤＣＰレイヤの処理が実行された信号は、第２の信号の一例である。【００６７】
下位レイヤ処理部２２４は、Ｆ１インターフェイス部２２０を介して、ＣＵ２１によってＰＤＣＰレイヤの処理が実行された信号を受信し、上位レイヤ処理部２２６によってＰＤＣＰレイヤの処理が実行された信号を受信する。そして、下位レイヤ処理部２２４は、受信した信号に対して、下位レイヤの処理を実行する。本実施例において、下位レイヤとは、例えばＲＬＣレイヤおよびＭＡＣレイヤである。下位レイヤ処理部２２４は、ＭＡＣレイヤの処理が行われた信号を無線部２２２へ出力する。【００６８】
［ｇＮＢ２０の処理］
図１５は、実施例３におけるｇＮＢ２０の処理の一例を示す図である。図１５では、ｇＮＢ２０の処理のうち、主に、ＤＵ＿ＩＤを含む無線信号を送信する際の処理について示されている。なお、図１５において、図８と同じ符号が付された処理は、以下に説明する点を除き、図８において説明された処理と同様であるため、説明を省略する。【００６９】
ＣＵ２１のＩＤ管理部２１５は、ステップＳ２００においてＦ１インターフェイスが確立された場合、ＤＵ２２に対して発行されたＤＵ＿ＩＤを、Ｆ１インターフェイス部２１７を介してＤＵ２２へ通知する（Ｓ２４０）。ＤＵ２２のＦ１インターフェイス部２２０は、ＣＵ２１から通知されたＤＵ＿ＩＤをＩＤ管理部２２５へ出力する。ＩＤ管理部２２５は、Ｆ１インターフェイス部２２０から出力されたＤＵ＿ＩＤを保持する（Ｓ２４１）。そして、ＩＤ管理部２２５は、ＤＵ＿ＩＤを上位レイヤ処理部２２６へ出力する。【００７０】
ＣＵ２１の上位レイヤ処理部２１１は、ＲＲＣ信号を生成し（Ｓ２０２）、ＲＲＣ信号に対して、ＰＤＣＰレイヤの処理を実行する（Ｓ２０４）。そして、上位レイヤ処理部２１１は、ＰＤＣＰレイヤの処理が実行された信号をＦ１インターフェイス部２１７へ出力する。Ｆ１インターフェイス部２１７は、上位レイヤ処理部２１１から出力された信号を、Ｆ１インターフェイスを介して、ＤＵ＿ＩＤに対応するＤＵ２２へ送信する（Ｓ２４２）。【００７１】
ＤＵ２２の上位レイヤ処理部２２６は、ＩＤ管理部２２５から出力されたＤＵ＿ＩＤが設定された固有ＲＲＣ信号を生成する（Ｓ２４３）。そして、上位レイヤ処理部２２６は、固有ＲＲＣ信号に対して、ＰＤＣＰレイヤの処理を実行する（Ｓ２４４）。そして、上位レイヤ処理部２２６は、ＰＤＣＰレイヤの処理が実行された信号を、下位レイヤ処理部２２４へ出力する。【００７２】
下位レイヤ処理部２２４は、Ｆ１インターフェイス部２２０を介して、ＣＵ２１によってＰＤＣＰレイヤの処理が実行された信号を受信し、上位レイヤ処理部２２６によってＰＤＣＰレイヤの処理が実行された信号を受信する。そして、下位レイヤ処理部２２４は、受信した信号に対して、ＲＬＣレイヤの処理を実行する（Ｓ２４５）。そして、下位レイヤ処理部２２４は、ＲＬＣレイヤの処理が実行された信号に対して、ＭＡＣレイヤの処理を実行する（Ｓ２４６）。そして、下位レイヤ処理部２２４は、ＭＡＣレイヤの処理が実行された信号を無線部２２２へ出力する。以降、図８に示された処理と同様の処理が実行される。【００７３】
［実施例３の効果］
以上、実施例３について説明した。上記したように、本実施例のＦ１インターフェイス部２２０は、ＣＵ２１によって生成されたＲＲＣレイヤの信号を含む第１の信号を受信する。上位レイヤ処理部２２６は、ＤＵ＿ＩＤが設定された固有ＲＲＣ信号を含む第２の信号を生成する。下位レイヤ処理部２２４は、第１の信号と第２の信号とに対して、ＲＲＣレイヤよりも下位のレイヤの処理を実行する。無線部２２２は、下位レイヤ処理部２２４によって処理された信号に基づく無線信号を送信する。これにより、ＤＵ２２は、ＤＵ＿ＩＤを含む無線信号を送信することができる。
【実施例４】
【００７４】
上記した実施例１から３では、ＲＲＣ信号にＤＵ＿ＩＤが設定されたが、本実施例４では、ＭＡＣレイヤの信号にＤＵ＿ＩＤが設定される。なお、本実施例では、ｇＮＢ２０で処理されるプロトコルの階層が、ＬＬＳにより２つに分けられ、ＣＵ２１およびＤＵ２２においてそれぞれ処理される。【００７５】
［ＣＵ２１］
図１６は、実施例４におけるＣＵ２１の一例を示すブロック図である。ＣＵ２１は、ＮＧインターフェイス部２１０、上位レイヤ処理部２１１、ＩＤテーブル保持部２１２、ＨＯ指示部２１３、下位レイヤ処理部２１４、ＩＤ管理部２１５、ＨＯ制御部２１６、およびＦ１インターフェイス部２１７を有する。なお、図１６において、図３と同じ符号が付されたブロックは、以下に説明する点を除き、図３において説明されたブロックと同様であるため、説明を省略する。【００７６】
上位レイヤ処理部２１１は、ＤＵ２２毎に、ＲＲＣ信号を生成し、ＲＲＣ信号を下位レイヤ処理部２１４へ出力する。下位レイヤ処理部２１４は、上位レイヤ処理部２１１から出力されたＲＲＣ信号に対して、ＰＤＣＰレイヤ、ＲＬＣレイヤ、およびＭＡＣレイヤの処理を行う。そして、下位レイヤ処理部２１４は、ＤＵ２２毎に、ＤＵ２２に固有のＤＵ＿ＩＤをＩＤテーブル保持部２１２内のＩＤテーブル２１２０から取得する。そして、下位レイヤ処理部２１４は、ＭＡＣレイヤの処理が実行された信号に、ＤＵ＿ＩＤを設定する。本実施例において、下位レイヤ処理部２１４は、ＭＡＣレイヤの処理が実行された信号に含まれるＭＡＣ＿ＣＥ（Control  Element）に、ＤＵ＿ＩＤを設定する。そして、下位レイヤ処理部２１４は、ＤＵ＿ＩＤが設定された信号をＦ１インターフェイス部２１７へ出力する。Ｆ１インターフェイス部２１７は、下位レイヤ処理部２１４から出力された信号を、対応するＤＵ２２へ送信する。【００７７】
ＤＵ２２については、図６を用いて説明された実施例１のＤＵ２２と同様であるため、詳細な説明を省略する。【００７８】
［ｇＮＢ２０の処理］
図１７は、実施例４におけるｇＮＢ２０の処理の一例を示す図である。図１７では、ｇＮＢ２０の処理のうち、主に、ＤＵ＿ＩＤを含む無線信号を送信する際の処理について示されている。なお、図１７において、図８と同じ符号が付された処理は、以下に説明する点を除き、図８において説明された処理と同様であるため、説明を省略する。【００７９】
ＣＵ２１の上位レイヤ処理部２１１は、ＲＲＣ信号を生成し（Ｓ２０２）、ＲＲＣ信号を下位レイヤ処理部２１４へ出力する。下位レイヤ処理部２１４は、ＲＲＣ信号に対して、ＰＤＣＰレイヤの処理（Ｓ２０４）、ＲＬＣレイヤの処理（Ｓ２０５）、およびＭＡＣレイヤの処理（Ｓ２０６）をそれぞれ実行する。【００８０】
次に、下位レイヤ処理部２１４は、ＤＵ２２に固有のＤＵ＿ＩＤをＩＤテーブル保持部２１２内のＩＤテーブル２１２０から取得する。そして、下位レイヤ処理部２１４は、ＭＡＣレイヤの処理が実行された信号に含まれるＭＡＣ＿ＣＥに、ＤＵ＿ＩＤを設定する（Ｓ２５０）。そして、下位レイヤ処理部２１４は、ＤＵ＿ＩＤが設定された信号をＦ１インターフェイス部２１７へ出力する。Ｆ１インターフェイス部２１７は、下位レイヤ処理部２１４から出力された信号を、対応するＤＵ２２へ送信する（Ｓ２０７）。以降、図８に示された処理と同様の処理が実行される。【００８１】
［実施例４の効果］
以上、実施例４について説明した。上記したように、本実施例のＦ１インターフェイス部２２０は、ＣＵ２１によって生成された、ＤＵ＿ＩＤを含むＭＡＣレイヤの信号を受信する。無線部２２２は、Ｆ１インターフェイス部２２０によって受信されたＭＡＣレイヤの信号に基づく無線信号を送信する。これにより、ＤＵ２２は、ＤＵ＿ＩＤを含む無線信号を送信することができる。
【実施例５】
【００８２】
上記した実施例４では、ＣＵ２１がＭＡＣレイヤの信号にＤＵ＿ＩＤを設定したが、本実施例５では、ＤＵ２２がＭＡＣレイヤの信号にＤＵ＿ＩＤを設定する。なお、本実施例では、ｇＮＢ２０で処理されるプロトコルの階層が、ＬＬＳにより２つに分けられる。【００８３】
［ＣＵ２１］
図１８は、実施例５におけるＣＵ２１の一例を示すブロック図である。ＣＵ２１は、ＮＧインターフェイス部２１０、上位レイヤ処理部２１１、ＩＤテーブル保持部２１２、ＨＯ指示部２１３、下位レイヤ処理部２１４、ＩＤ管理部２１５、ＨＯ制御部２１６、およびＦ１インターフェイス部２１７を有する。なお、図１８において、図３と同じ符号が付されたブロックは、以下に説明する点を除き、図３において説明されたブロックと同様であるため、説明を省略する。【００８４】
上位レイヤ処理部２１１は、ＤＵ２２毎に、ＲＲＣ信号を生成し、ＲＲＣ信号を下位レイヤ処理部２１４へ出力する。下位レイヤ処理部２１４は、上位レイヤ処理部２１１から出力されたＲＲＣ信号に対して、ＰＤＣＰレイヤ、ＲＬＣレイヤ、およびＭＡＣレイヤの処理を行う。そして、下位レイヤ処理部２１４は、ＭＡＣレイヤの処理が実行された信号をＦ１インターフェイス部２１７へ出力する。Ｆ１インターフェイス部２１７は、下位レイヤ処理部２１４から出力された信号を、対応するＤＵ２２へ送信する。【００８５】
［ＤＵ２２］
図１９は、実施例５におけるＤＵ２２の一例を示すブロック図である。ＤＵ２２は、Ｆ１インターフェイス部２２０、ＨＯ処理部２２１、無線部２２２、アンテナ２２３、ＩＤ管理部２２５、および設定部２２７を有する。なお、図１９において、図６と同じ符号が付されたブロックは、以下に説明する点を除き、図６において説明されたブロックと同様であるため、説明を省略する。【００８６】
Ｆ１インターフェイス部２２０は、ＣＵ２１から通知されたＤＵ＿ＩＤをＩＤ管理部２２５へ出力する。また、Ｆ１インターフェイス部２２０は、ＣＵ２１から受信した、ＭＡＣレイヤの処理が実行された信号を設定部２２７へ出力する。ＩＤ管理部２２５は、Ｆ１インターフェイス部２２０から出力されたＤＵ＿ＩＤを保持する。そして、ＩＤ管理部２２５は、ＤＵ＿ＩＤを設定部２２７へ出力する。【００８７】
設定部２２７は、Ｆ１インターフェイス部２２０から出力された信号に、ＩＤ管理部２２５から出力されたＤＵ＿ＩＤを設定する。本実施例において、設定部２２７は、ＭＡＣレイヤの処理が実行された信号に含まれるＭＡＣ＿ＣＥに、ＤＵ＿ＩＤを設定する。そして、設定部２２７は、ＤＵ＿ＩＤが設定された信号を無線部２２２へ出力する。【００８８】
［ｇＮＢ２０の処理］
図２０は、実施例５におけるｇＮＢ２０の処理の一例を示す図である。図２０では、ｇＮＢ２０の処理のうち、主に、ＤＵ＿ＩＤを含む無線信号を送信する際の処理について示されている。なお、図２０において、図８と同じ符号が付された処理は、以下に説明する点を除き、図８において説明された処理と同様であるため、説明を省略する。【００８９】
ＣＵ２１のＩＤ管理部２１５は、ステップＳ２００においてＦ１インターフェイスが確立された場合、ＤＵ２２に対して発行されたＤＵ＿ＩＤを、Ｆ１インターフェイス部２１７を介してＤＵ２２へ通知する（Ｓ２６０）。ＤＵ２２のＦ１インターフェイス部２２０は、ＣＵ２１から通知されたＤＵ＿ＩＤをＩＤ管理部２２５へ出力する。ＩＤ管理部２２５は、Ｆ１インターフェイス部２２０から出力されたＤＵ＿ＩＤを保持する（Ｓ２６１）。そして、ＩＤ管理部２２５は、ＤＵ＿ＩＤを設定部２２７へ出力する。【００９０】
ＣＵ２１の上位レイヤ処理部２１１は、ＲＲＣ信号を生成し（Ｓ２０２）、ＲＲＣ信号を下位レイヤ処理部２１４へ出力する。下位レイヤ処理部２１４は、ＲＲＣ信号に対して、ＰＤＣＰレイヤの処理（Ｓ２０４）、ＲＬＣレイヤの処理（Ｓ２０５）、およびＭＡＣレイヤの処理（Ｓ２０６）をそれぞれ実行する。そして、下位レイヤ処理部２１４は、ＭＡＣレイヤの処理が実行された信号をＦ１インターフェイス部２１７へ出力する。Ｆ１インターフェイス部２１７は、下位レイヤ処理部２１４から出力された信号を、対応するＤＵ２２へ送信する（Ｓ２０７）。【００９１】
次に、ＤＵ２２のＦ１インターフェイス部２２０は、ＣＵ２１から受信した、ＭＡＣレイヤの処理が実行された信号を設定部２２７へ出力する。設定部２２７は、Ｆ１インターフェイス部２２０から出力された信号に、ＩＤ管理部２２５から出力されたＤＵ＿ＩＤを設定する。具体的には、設定部２２７は、ＣＵ２１によってＭＡＣレイヤの処理が実行された信号に含まれるＭＡＣ＿ＣＥに、ＩＤ管理部２２５から出力されたＤＵ＿ＩＤを設定する（Ｓ２６２）。そして、設定部２２７は、ＤＵ＿ＩＤが設定された信号を無線部２２２へ出力する。以降、図８に示された処理と同様の処理が実行される。【００９２】
［実施例５の効果］
以上、実施例５について説明した。上記したように、本実施例のＦ１インターフェイス部２２０は、ＣＵ２１によって生成されたＭＡＣレイヤの信号を受信する。設定部２２７は、Ｆ１インターフェイス部２２０によって受信されたＭＡＣレイヤの信号に、ＤＵ＿ＩＤを設定する。無線部２２２は、設定部２２７によってＤＵ＿ＩＤが設定されたＭＡＣレイヤの信号に基づく無線信号を送信する。これにより、ＤＵ２２は、ＤＵ＿ＩＤを含む無線信号を送信することができる。
【実施例６】
【００９３】
上記した実施例４では、ｇＮＢ２０で処理されるプロトコルの階層が、ＬＬＳにより２つに分けられる。これに対し、本実施例６では、ｇＮＢ２０で処理されるプロトコルの階層が、ＨＬＳにより２つに分けられ。即ち、ＤＵ２２において、ＭＡＣレイヤの信号にＤＵ＿ＩＤが設定される。【００９４】
［ＣＵ２１］
本実施例におけるＣＵ２１の構成は、図１３を用いて説明された実施例３のＣＵ２１と同様であるため、図１３を参照して説明する。ＩＤ管理部２１５は、ＤＵ２２毎に、Ｆ１インターフェイス部２１７によってそれぞれのＤＵ２２との間でＦ１インターフェイスが確立された場合に、ＤＵ２２に対してＤＵ＿ＩＤを発行する。そして、ＩＤ管理部２１５は、発行されたＤＵ＿ＩＤを、ＤＵ２２へアクセスするための情報に対応付けて、ＩＤテーブル保持部２１２内のＩＤテーブル２１２０に登録する。また、ＩＤ管理部２１５は、発行されたＤＵ＿ＩＤを、Ｆ１インターフェイス部２１７を介して、対応するＤＵ２２へ通知する。【００９５】
上位レイヤ処理部２１１は、ＲＲＣ信号を生成し、ＲＲＣ信号に対して、ＰＤＣＰレイヤの処理を実行する。そして、上位レイヤ処理部２１１は、ＰＤＣＰレイヤの処理が実行された信号をＦ１インターフェイス部２１７へ出力する。Ｆ１インターフェイス部２１７は、上位レイヤ処理部２１１から出力された信号をＤＵ２２へ送信する。【００９６】
［ＤＵ２２］
図２１は、実施例６におけるＤＵ２２の一例を示すブロック図である。ＤＵ２２は、Ｆ１インターフェイス部２２０、ＨＯ処理部２２１、無線部２２２、アンテナ２２３、下位レイヤ処理部２２４、およびＩＤ管理部２２５を有する。なお、図２１において、図６と同じ符号が付されたブロックは、以下に説明する点を除き、図６において説明されたブロックと同様であるため、説明を省略する。【００９７】
Ｆ１インターフェイス部２２０は、ＣＵ２１から通知されたＤＵ＿ＩＤをＩＤ管理部２２５へ出力する。また、Ｆ１インターフェイス部２２０は、ＣＵ２１から受信した、ＰＤＣＰレイヤの処理が実行された信号を下位レイヤ処理部２２４へ出力する。ＩＤ管理部２２５は、Ｆ１インターフェイス部２２０から出力されたＤＵ＿ＩＤを保持する。そして、ＩＤ管理部２２５は、ＤＵ＿ＩＤを下位レイヤ処理部２２４へ出力する。【００９８】
下位レイヤ処理部２２４は、Ｆ１インターフェイス部２２０を介してＣＵ２１から受信した信号に対して、ＲＬＣレイヤおよびＭＡＣレイヤの処理を実行する。そして、下位レイヤ処理部２２４は、ＭＡＣレイヤの処理が行われた信号に、ＩＤ管理部２２５から出力されたＤＵ＿ＩＤを設定する。本実施例において、下位レイヤ処理部２２４は、ＭＡＣレイヤの処理が実行された信号に含まれるＭＡＣ＿ＣＥに、ＤＵ＿ＩＤを設定する。そして、下位レイヤ処理部２２４は、ＤＵ＿ＩＤが設定された信号を無線部２２２へ出力する。本実施例における下位レイヤ処理部２２４は、設定部の一例である。無線部２２２は、下位レイヤ処理部２２４から出力された信号に対してＰＨＹレイヤの処理を実行する。そして、無線部２２２は、ＰＨＹレイヤの処理が実行された信号を、アンテナ２２３を介してセル２３内に送信する。【００９９】
［ｇＮＢ２０の処理］
図２２は、実施例６におけるｇＮＢ２０の処理の一例を示す図である。図２２では、ｇＮＢ２０の処理のうち、主に、ＤＵ＿ＩＤを含む無線信号を送信する際の処理について示されている。なお、図２２において、図８と同じ符号が付された処理は、以下に説明する点を除き、図８において説明された処理と同様であるため、説明を省略する。【０１００】
ＣＵ２１のＩＤ管理部２１５は、ステップＳ２００においてＦ１インターフェイスが確立された場合、ＤＵ２２に対して発行されたＤＵ＿ＩＤを、Ｆ１インターフェイス部２１７を介してＤＵ２２へ通知する（Ｓ２７０）。ＤＵ２２のＦ１インターフェイス部２２０は、ＣＵ２１から通知されたＤＵ＿ＩＤをＩＤ管理部２２５へ出力する。ＩＤ管理部２２５は、Ｆ１インターフェイス部２２０から出力されたＤＵ＿ＩＤを保持する（Ｓ２７１）。そして、ＩＤ管理部２２５は、ＤＵ＿ＩＤを下位レイヤ処理部２２４へ出力する。【０１０１】
また、ＣＵ２１の上位レイヤ処理部２１１は、ＲＲＣ信号を生成し（Ｓ２０２）、ＲＲＣ信号に対して、ＰＤＣＰレイヤの処理を実行する（Ｓ２０４）。そして、上位レイヤ処理部２１１は、ＰＤＣＰレイヤの処理が実行された信号をＦ１インターフェイス部２１７へ出力する。Ｆ１インターフェイス部２１７は、上位レイヤ処理部２１１から出力された信号を、Ｆ１インターフェイスを介して、ＤＵ＿ＩＤに対応するＤＵ２２へ送信する（Ｓ２０７）。【０１０２】
ＤＵ２２のｇＮＢ２０は、ＰＤＣＰレイヤの処理が実行された信号をＣＵ２１から受信し、受信した信号を、下位レイヤ処理部２２４へ出力する。下位レイヤ処理部２２４は、ＰＤＣＰレイヤの処理が実行された信号に対して、ＲＬＣレイヤの処理を実行する（Ｓ２７２）。そして、下位レイヤ処理部２２４は、ＲＬＣレイヤの処理が実行された信号に対して、ＭＡＣレイヤの処理を実行する（Ｓ２７３）。そして、下位レイヤ処理部２２４は、ＭＡＣレイヤの処理が実行された信号に含まれるＭＡＣ＿ＣＥに、ＤＵ＿ＩＤを設定する（Ｓ２７４）。そして、下位レイヤ処理部２２４は、ＤＵ＿ＩＤが設定された信号を無線部２２２へ出力する。以降、図８に示された処理と同様の処理が実行される。【０１０３】
［実施例６の効果］
以上、実施例６について説明した。上記したように、本実施例のＦ１インターフェイス部２２０は、ＣＵ２１によって生成された、ＭＡＣレイヤよりも上位のレイヤの信号を受信する。下位レイヤ処理部２２４は、Ｆ１インターフェイス部２２０によって受信された信号に対して、ＭＡＣレイヤの処理を実行する。また、下位レイヤ処理部２２４は、ＭＡＣレイヤの処理が実行された信号に、ＤＵ＿ＩＤを設定する。無線部２２２は、下位レイヤ処理部２２４によってＤＵ＿ＩＤが設定された信号に基づく無線信号を送信する。これにより、ＤＵ２２は、ＤＵ＿ＩＤを含む無線信号を送信することができる。【０１０４】
［ハードウェア］
上記したＣＵ２１は、例えば図２３に示されるようなハードウェアにより実現される。図２３は、ＣＵ２１のハードウェアの一例を示す図である。ＣＵ２１は、メモリ４０、プロセッサ４１、およびインターフェイス回路４２を有する。【０１０５】
インターフェイス回路４２は、コアネットワーク１１およびそれぞれのＤＵ２２との間で信号の送受信を行う。インターフェイス回路４２は、ＮＧインターフェイス部２１０およびＦ１インターフェイス部２１７の機能を実現する。メモリ４０内には、例えば、ＮＧインターフェイス部２１０、上位レイヤ処理部２１１、ＨＯ指示部２１３、下位レイヤ処理部２１４、ＩＤ管理部２１５、ＨＯ制御部２１６、およびＣＵ２１８の機能を実現するための各種プログラムやデータ等が格納される。また、メモリ４０内には、ＩＤテーブル保持部２１２内のデータが格納される。プロセッサ４１は、メモリ４０からプログラムを読出し、読み出したプログラムを実行することにより、例えばＣＵ２１の各機能を実現する。【０１０６】
なお、メモリ４０内のプログラムやデータ等は、必ずしも全てが最初からメモリ４０内に記憶されていなくてもよい。例えば、ＣＵ２１に挿入されるメモリカードなどの可搬型記録媒体にプログラムやデータ等が記憶され、ＣＵ２１がこのような可搬型記録媒体からプログラムやデータ等を適宜取得して実行するようにしてもよい。また、プログラムやデータ等を記憶させた他のコンピュータまたはサーバ装置などから、無線通信回線、公衆回線、インターネット、ＬＡＮ、ＷＡＮなどを介して、ＣＵ２１がプログラム等を適宜取得して実行するようにしてもよい。【０１０７】
また、図２３に例示されたＣＵ２１には、メモリ４０およびプロセッサ４１が１つずつ設けられているが、メモリ４０およびプロセッサ４１は、それぞれ２つ以上設けられていてもよい。また、ＣＵ２１は、複数のメモリ４０およびプロセッサ４１を有する計算機リソースの一部によって実現されてもよい。【０１０８】
また、上記したＤＵ２２は、例えば図２４に示されるようなハードウェアにより実現される。図２４は、ＤＵ２２のハードウェアの一例を示す図である。ＤＵ２２は、インターフェイス回路５０、メモリ５１、プロセッサ５２、無線回路５３、およびアンテナ２２３を有する。【０１０９】
インターフェイス回路５０は、ＣＵ２１との間で有線通信を行うためのインターフェイスである。インターフェイス回路５０は、Ｆ１インターフェイス部２２０の機能を実現する。無線回路５３は、プロセッサ５２から出力された信号にアップコンバート等の処理を施し、処理後の信号をアンテナ２２３を介して空間に放射する。また、無線回路５３は、アンテナ２２３を介して受信された信号にダウンコンバート等の処理を施し、処理後の信号をプロセッサ５２へ出力する。無線回路５３は、無線部２２２の機能を実現する。【０１１０】
メモリ５１には、例えば、Ｆ１インターフェイス部２２０、ＨＯ処理部２２１、下位レイヤ処理部２２４、ＩＤ管理部２２５、上位レイヤ処理部２２６、および設定部２２７の各機能を実現するための各種プログラムやデータ等が格納される。プロセッサ５２は、メモリ５１から読み出したプログラム等を実行することにより、例えばＤＵ２２の各機能を実現する。【０１１１】
なお、メモリ５１内のプログラムやデータ等は、必ずしも全てが最初からメモリ５１内に記憶されていなくてもよい。例えば、ＤＵ２２に挿入されるメモリカードなどの可搬型記録媒体にプログラムやデータ等が記憶され、ＤＵ２２がこのような可搬型記録媒体からプログラムやデータ等を適宜取得して実行するようにしてもよい。また、プログラムやデータ等を記憶させた他のコンピュータまたはサーバ装置などから、無線通信回線、公衆回線、インターネット、ＬＡＮ、ＷＡＮなどを介して、ＤＵ２２がプログラム等を適宜取得して実行するようにしてもよい。【０１１２】
また、図２４に例示されたＤＵ２２には、メモリ５１およびプロセッサ５２が１つずつ設けられているが、メモリ５１およびプロセッサ５２は、それぞれ２つ以上設けられていてもよい。また、図２４に例示されたＤＵ２２は、ＣＵ２１の機能をさらに実現してもよい。【０１１３】
また、上記したＵＥ３０は、例えば図２５に示されるようなハードウェアにより実現される。図２５は、ＵＥ３０のハードウェアの一例を示す図である。ＵＥ３０は、アンテナ３３、無線回路６０、メモリ６１、およびプロセッサ６２を有する。【０１１４】
無線回路６０は、プロセッサ６２から出力された信号にアップコンバート等の処理を施し、処理後の信号をアンテナ３３を介して空間に放射する。また、無線回路６０は、アンテナ３３を介して受信された信号にダウンコンバート等の処理を施し、処理後の信号をプロセッサ６２へ出力する。無線回路６０は、無線部３２２の機能を実現する。【０１１５】
メモリ６１には、例えば、ＨＯ処理部３１の各機能を実現するための各種プログラムやデータ等が格納される。プロセッサ６２は、メモリ６１から読み出したプログラム等を実行することにより、例えばＵＥ３０の各機能を実現する。【０１１６】
なお、メモリ６１内のプログラムやデータ等は、必ずしも全てが最初からメモリ６１内に記憶されていなくてもよい。例えば、ＵＥ３０に挿入されるメモリカードなどの可搬型記録媒体にプログラムやデータ等が記憶され、ＵＥ３０がこのような可搬型記録媒体からプログラムやデータ等を適宜取得して実行するようにしてもよい。また、プログラムやデータ等を記憶させた他のコンピュータまたはサーバ装置などから、無線通信回線、公衆回線、インターネット、ＬＡＮ、ＷＡＮなどを介して、ＵＥ３０がプログラム等を適宜取得して実行するようにしてもよい。また、図２５に例示されたＵＥ３０には、メモリ６１およびプロセッサ６２が１つずつ設けられているが、メモリ６１およびプロセッサ６２は、それぞれ２つ以上設けられていてもよい。【０１１７】
［その他］
なお、開示の技術は、上記した実施例に限定されるものではなく、その要旨の範囲内で数々の変形が可能である。【０１１８】
例えば、上記した各実施例において、ＵＥ３０は、ｇＮＢ２０からＩＤ要求を受信した場合に、他のｇＮＢ２０から受信した無線信号からＤＵ＿ＩＤを抽出し、抽出されたＤＵ＿ＩＤを含むＭＲメッセージを送信する。しかし、開示技術はこれに限られない。ＵＥ３０は、ｇＮＢ２０からＩＤ要求を受信しなくても、他のｇＮＢ２０から受信した無線信号からＤＵ＿ＩＤを抽出し、抽出されたＤＵ＿ＩＤを含むＭＲメッセージを送信してもよい。これにより、ｇＮＢ２０は、より迅速にＵＥ３０を他のｇＮＢ２０にハンドオーバさせることができる。【０１１９】
また、上記した各実施例において、ＣＵ２１とＤＵ２２とは、別々の装置として説明されているが、開示の技術はこれに限られない。ＣＵ２１とＤＵ２２とは、例えば、複数のメモリおよびプロセッサを有する１つのｇＮＢ２０の計算機リソースによってそれぞれ実現されてもよい。【０１２０】
また、上記した各実施例において、ＣＵ２１、ＤＵ２２、およびＵＥ３０が有するそれぞれの処理ブロックは、実施例におけるそれぞれの装置の理解を容易にするために、主な処理内容に応じて機能別に区分したものである。そのため、処理ブロックの区分方法やその名称によって、開示の技術が制限されることはない。また、ＣＵ２１、ＤＵ２２、およびＵＥ３０がそれぞれ有する各処理ブロックは、処理内容に応じてさらに多くの処理ブロックに細分化することもできるし、複数の処理ブロックを１つの処理ブロックに統合することもできる。また、それぞれの処理ブロックによって実行される処理の一部または全部は、ソフトウェアによる処理として実現されてもよく、ＡＳＩＣ（Application  Specific  Integrated  Circuit）等の専用のハードウェアにより実現されてもよい。
【符号の説明】
【０１２１】
１０  無線通信システム
１１  コアネットワーク
１２  ＡＵＳＦ
１３  ＵＤＭ
１４  ＡＭＦ
１５  ＳＭＦ
１６  ＰＣＦ
１７  ＡＦ
１８  ＵＰＦ
１９  データネットワーク
２０  ｇＮＢ
２１  ＣＵ
２１０  ＮＧインターフェイス部
２１１  上位レイヤ処理部
２１２  ＩＤテーブル保持部
２１２０  ＩＤテーブル
２１３  ＨＯ指示部
２１４  下位レイヤ処理部
２１５  ＩＤ管理部
２１６  ＨＯ制御部
２１７  Ｆ１インターフェイス部
２２  ＤＵ
２２０  Ｆ１インターフェイス部
２２１  ＨＯ処理部
２２２  無線部
２２３  アンテナ
２２４  下位レイヤ処理部
２２５  ＩＤ管理部
２２６  上位レイヤ処理部
２２７  設定部
２３  セル
３０  ＵＥ
３１  ＨＯ処理部
３２  無線部
３３  アンテナ
４０  メモリ
４１  プロセッサ
４２  インターフェイス回路
５０  インターフェイス回路
５１  メモリ
５２  プロセッサ
５３  無線回路
６０  無線回路
６１  メモリ
６２  プロセッサ
【図１】
0006954385.tif 000002
【図２】
0006954385.tif 000003
【図３】
0006954385.tif 000004
【図４】
0006954385.tif 000005
【図５】
0006954385.tif 000006
【図６】
0006954385.tif 000007
【図７】
0006954385.tif 000008
【図８】
0006954385.tif 000009
【図９】
0006954385.tif 000010
【図１０】
0006954385.tif 000011
【図１１】
0006954385.tif 000012
【図１２】
0006954385.tif 000013
【図１３】
0006954385.tif 000014
【図１４】
0006954385.tif 000015
【図１５】
0006954385.tif 000016
【図１６】
0006954385.tif 000017
【図１７】
0006954385.tif 000018
【図１８】
0006954385.tif 000019
【図１９】
0006954385.tif 000020
【図２０】
0006954385.tif 000021
【図２１】
0006954385.tif 000022
【図２２】
0006954385.tif 000023
【図２３】
0006954385.tif 000024
【図２４】
0006954385.tif 000025
【図２５】
0006954385.tif 000026